(57)【要約】【課題】遮蔽部材が実際に設置される構築物自体を用いずに遮蔽部材の使用時に類似した音響特性を測定することと、遮蔽部材自体の音響特性を定量的に求めることを可能にする。【解決手段】音響特性測定システムが、発音装置５を内蔵した第１の室１と、音響測定装置６を内蔵し第１の室１と隣接する第２の室２と、第１および第２の室１，２の共有の隔壁部３と、隔壁部３に設けられた開口部４と、第１または第２の室１，２内の、開口部４に対向する位置に、被測定物Ｓを保持する保持機構８とを含む。音響測定装置６は、上下方向の位置が異なる複数の測定点、または左右方向の位置が異なる複数の測定点、または上下方向の位置が異なる複数の測定点と左右方向の位置が異なる複数の測定点とにおいて選択的に音響測定可能であり、保持機構は、上下方向の位置が異なる複数の保持位置に選択的に前記被測定物を保持可能である。【選択図】図１
2019109430.tif 000002
【特許請求の範囲】
【請求項１】
被測定物の音響特性を測定する音響特性測定システムであって、
内部に発音装置が配置される第１の室と、内部に音響測定装置が配置され、前記第１の室と隣接する第２の室と、前記第１の室と前記第２の室の共有の壁部である隔壁部と、前記隔壁部に設けられており前記第１の室と前記第２の室とを連通させる開口部と、前記第１の室または前記第２の室の内部の、前記開口部に対向する位置に、前記被測定物を保持する保持機構と、を含み、
前記音響測定装置は、上下方向の位置が異なる複数の測定点において選択的に、または左右方向の位置が異なる複数の測定点において選択的に、または上下方向の位置が異なる複数の測定点と左右方向の位置が異なる複数の測定点とにおいて選択的に、音響測定可能であり、
前記保持機構は、上下方向の位置が異なる複数の保持位置に選択的に前記被測定物を保持可能である、音響特性測定システム。
【請求項２】
前記音響測定装置は受音部を有し、前記受音部は上下方向の位置が異なる複数の測定点に移動可能であるか、または左右方向の位置が異なる複数の測定点に移動可能であるか、または上下方向の位置が異なる複数の測定点と左右方向の位置が異なる複数の測定点とに移動可能である、請求項１に記載の音響特性測定システム。
【請求項３】
前記複数の測定点は、上下方向において、前記開口部の中央に対向する位置と、前記開口部の下端よりも下方の位置と、前記開口部の上端よりも上方の位置とを含む、請求項２に記載の音響特性測定システム。
【請求項４】
前記複数の測定点は、左右方向において、前記開口部の中央に対向する位置と、前記開口部の左端よりも左方の位置と、前記開口部の右端よりも右方の位置とを含む、請求項２または３に記載の音響特性測定システム。
【請求項５】
前記受音部はマイクロフォンであり、前記音響測定装置は、前記マイクロフォンを支持して該マイクロフォンを上下方向の位置が異なる複数の測定点に、または左右方向の位置が異なる複数の測定点に、または上下方向の位置が異なる複数の測定点と左右方向の位置が異なる複数の測定点とに移動させる支持部材をさらに含む、請求項２から４のいずれか１項に記載の音響特性測定システム。
【請求項６】
前記被測定物はカーテンであり、前記保持機構はカーテンレールを含む、請求項１から５のいずれか１項に記載の音響特性測定システム。
【請求項７】
前記カーテンレールは上下方向に移動可能である、請求項６に記載の音響特性測定システム。
【請求項８】
前記第１の室は残響室であり、前記第２の室は無響室または半無響室である、請求項１から７のいずれか１項に記載の音響特性測定システム。
【請求項９】
被測定物の音響特性を測定する音響特性測定方法であって、
第１の室と、前記第１の室と隣接する第２の室と、前記第１の室と前記第２の室の共有の壁部である隔壁部と、前記隔壁部に設けられており前記第１の室と前記第２の室とを連通させる開口部と、を用い、
前記第１の室または前記第２の室の内部の、前記開口部に対向する位置に、前記被測定物を保持し、前記第１の室内で発音して前記第２の室内で音響測定を行うことにより、前記被測定物の音響特性を求め、
前記音響測定を、上下方向の位置が異なる複数の測定点において、または左右方向の位置が異なる複数の測定点において、または上下方向の位置が異なる複数の測定点と左右方向の位置が異なる複数の測定点とにおいてそれぞれ行う、音響特性測定方法。
【請求項１０】
前記複数の測定点は、上下方向において、前記開口部の中央に対向する位置と、前記開口部の下端よりも下方の位置と、前記開口部の上端よりも上方の位置とを含む、請求項９に記載の音響特性測定方法。
【請求項１１】
前記複数の測定点は、左右方向において、前記開口部の中央に対向する位置と、前記開口部の左端よりも左方の位置と、前記開口部の右端よりも右方の位置とを含む、請求項９または１０に記載の音響特性測定方法。
【請求項１２】
前記音響測定はマイクロフォンを用いて行い、前記マイクロフォンを支持する支持部材を用いて前記マイクロフォンを上下方向に、または左右方向に、または上下方向と左右方向とに移動させることにより、前記複数の測定点において前記音響測定を行う、請求項９から１１のいずれか１項に記載の音響特性測定方法。
【請求項１３】
前記被測定物の上下方向の位置を調節してから前記音響測定を行う、請求項９から１２のいずれか１項に記載の音響特性測定方法。
【請求項１４】
前記被測定物はカーテンであり、前記カーテンを保持するカーテンレールを上下方向に移動させることにより、前記被測定物の上下方向の位置を調節する、請求項１３に記載の音響特性測定方法。
【請求項１５】
前記第１の室は残響室であり、前記第２の室は無響室または半無響室である、請求項９から１４のいずれか１項に記載の音響特性測定方法。
【請求項１６】
前記発音装置から４００Ｈｚ以上１００００Ｈｚ以下の周波数の音を発して前記音響測定を行う、請求項９から１５のいずれか１項に記載の音響特性測定方法。
【発明の詳細な説明】
【技術分野】
【０００１】
本発明は、被測定物の音響特性を測定する音響特性測定システムおよび音響特性測定方法に関する。
【背景技術】
【０００２】
建築物や筐体等に設けられた開口部（窓）において遮音性が求められる場合に、特許文献１に開示されているように、開口部を覆う遮蔽部材（例えば遮音性または吸音性を有するカーテン）が配置される。開口部を覆う遮蔽部材は、その材質によって遮音性や吸音性などの音響特性が異なるため、特許文献２，３に開示されているように音響特性を実際に測定して、各遮蔽部材の音響特性を求めている。そして、用途に応じた音響特性を有する遮蔽部材を選択して用いている。
【０００３】
特許文献２には、室内の一壁面に設けられた２つの開口部にそれぞれ異なるカーテンを取り付け、室内に発音体を配置して、各カーテンを透過した音をそれぞれ耳で直接聞いて各カーテンの遮音性能を判断する方法が開示されている。
特許文献３には、住宅、事務所、工場等の構築物の開口部と間隔を置いて室内側に遮音カーテンを設置し、開口部と遮音カーテンの間に吸音カーテンを設置して、室内に音源を置き、室内および屋外に設置したマイクロフォンで受音する防音効果試験が開示されている。
【先行技術文献】
【特許文献】
【０００４】
【特許文献１】実開昭５０−１２９４１６号公報
【特許文献２】特開２００２−２９７１４８号公報
【特許文献３】特開昭５３−１４６４５２号公報
【発明の概要】
【発明が解決しようとする課題】
【０００５】
特許文献２に開示されている方法では、音楽や幹線道路のトラックの音や鉄道や虫や蛙の鳴き声等の音を試験者が耳で聞き取ることによって防音効果を判定している。この方法は、人間の聴覚上の感覚的な防音効果を知ることを目的としており、また、複数のカーテンの防音効果を比較することを目的としている。すなわち、１つの遮蔽部材自体の音響特性を定量的に測定および判定することはできない。この特許文献２の方法が有効な場面は限られており、汎用的に利用可能なデータとして遮蔽部材自体の音響特性を求められる方法ではない。また、特許文献２の方法では、直接比較する２つのカーテンの相対的な評価しか行えず、多数の様々な遮蔽部材をデータ上で対比できるような、共通の判定基準に基づく試験結果を得ることはできない。
【０００６】
特許文献３に開示されている方法では、実際に使用される住宅、事務所、工場等の構築物の開口部に遮音カーテンや吸音カーテンを配置して試験を行っているため、実際に即した防音効果を求めることができる。しかし、特許文献３の方法のように実際に使用される住宅、事務所、工場等の構築物を用いてカーテンの防音試験を行うことは困難な場合が多い。従って、実際の使用環境を模した試験環境で音響特性の試験を行うことが望まれる。しかし、実際の使用環境を模した試験室を設けて特許文献３の方法を応用しても、実際の使用状態に即した環境の測定結果が得られるわけではなく、各カーテンの使用時の音響特性の測定方法としては必ずしも十分でない場合がある。
【０００７】
そこで本発明の目的は、遮蔽部材が実際に設置される構築物自体を用いなくても、遮蔽部材の使用時に類似した音響特性の測定が可能であって、しかも遮蔽部材自体の音響特性を定量的に求めることができる、音響特性測定システムおよび音響特性測定方法を提供することにある。
【課題を解決するための手段】
【０００８】
本発明の被測定物の音響特性を測定する音響特性測定システムは、内部に発音装置が配置される第１の室と、内部に音響測定装置が配置され、第１の室と隣接する第２の室と、第１の室と第２の室の共有の壁部である隔壁部と、隔壁部に設けられており第１の室と第２の室とを連通させる開口部と、第１の室または第２の室の内部の、開口部に対向する位置に、被測定物を保持する保持機構と、を含む。音響測定装置は、上下方向の位置が異なる複数の測定点において選択的に、または左右方向の位置が異なる複数の測定点において選択的に、または上下方向の位置が異なる複数の測定点と左右方向の位置が異なる複数の測定点とにおいて選択的に、音響測定可能であり、保持機構は、上下方向の位置が異なる複数の保持位置に選択的に前記被測定物を保持可能である。
【発明の効果】
【０００９】
本発明の音響特性測定システムおよび音響特性測定方法によると、遮蔽部材が実際に設置される構築物自体を用いなくても、遮蔽部材の使用時に類似した音響特性の測定が可能であって、しかも遮蔽部材自体の音響特性を定量的に求めることができる。
【図面の簡単な説明】
【００１０】
【図１】本発明の一実施形態の音響特性測定システムを示す模式図である。
【図２】図１に示す音響特性測定システムの第２の室の内壁の一部の拡大図である。
【図３】図１に示す音響特性測定システムの隔壁部の開口部を示す斜視図である。
【図４】図３に示す開口部にフレームが取り付けられた状態を示す斜視図である。
【図５】図４に示すフレームにカーテンレールが取り付けられた状態を示す斜視図である。
【図６】図５に示すカーテンレールにカーテンが取り付けられた状態を示す斜視図である。
【図７】図６に示すカーテン設置状態における音響特性の測定点を示す正面図と、測定結果を示すグラフである。
【図８】図７に示すカーテン設置状態における音響特性の測定点の一部において、各周波数の音に関するそれぞれの測定結果を示すグラフである。
【発明を実施するための形態】
【００１１】
以下、本発明の実施の形態について説明する。
本発明は、被測定物（例えば弾性変形可能な可撓性のカーテンのような遮蔽部材Ｓ）の音響特性（例えば遮音性）を測定するための音響特性測定システムと音響特性測定方法を提供する。本発明の音響特性測定システムの一実施形態を図１に模式的に示している。この音響特性測定システムは、２つの室、すなわち第１の室である残響室１と、第２の室である半無響室２または無響室とを有する。残響室１と半無響室２は隣接しており、壁の一部（隔壁部３）を共有している。残響室１は内壁が金属板等の反響板から構成されている。半無響室２は、内壁が吸音構造、例えば吸音材からなる突起１５（図２参照）が内壁のほぼ全体に設けられているが、床面には突起が設けられていない構成である。床面を含めてすべての内壁が吸音構造である室は無響室と呼ばれる。本発明の第２の室は半無響室２であっても無響室であってもよい。
【００１２】
図３に示すように、残響室１と半無響室２とが共有する壁部である隔壁部３には開口部４が設けられており、この開口部４を介して残響室１の内部と半無響室２の内部が連通している。開口部４は、被測定物である遮蔽部材Ｓが実際に設置されることが想定される建築物や筐体等の窓と同等の大きさか、それよりも大きいことが好ましい。一例としては、好ましい開口部４の大きさは２００ｍｍ×２００ｍｍである。ただし、図１〜６に示されている構成例では、２００ｍｍ×２００ｍｍよりも小さい開口部４が設けられている。残響室１の内部には発音装置として、例えばスピーカー５が配置されている。半無響室２の内部には、例えば受音部であるマイクロフォン６と、マイクロフォン６の支持部材１４とを含む音響測定装置が配置されている。そして、残響室１または半無響室２の内部には、開口部４に対向する位置に被測定物である遮蔽部材Ｓを実際の設置形態と同様な形態で保持する保持機構が設けられている。保持機構の具体例は、開口部４に取り付けられたフレーム７と、フレーム７に取り付けられた遮蔽部材Ｓの保持部材（具体的な一例はカーテンレール８）とを含む。図示しないが、実際に遮蔽部材Ｓが使用される建築物や筐体等の窓に窓ガラスが嵌められている場合には、フレーム７にも同様なガラス板を嵌め込んで、実際の建築物や筐体の窓と実質的に同じ条件にすることが好ましい。
【００１３】
本実施形態の音響測定装置および保持機構について、より詳細に説明する。本実施形態では、図３に示すように、残響室１と半無響室２が共有する隔壁部３に、遮蔽部材Ｓが実際に設置される建築物や筐体の窓を模した開口部４が設けられている。そして、図４に示すように、開口部４の外周に、フレーム７が取り付けられている。フレーム７は、上下方向に延びる長孔９ａが設けられたガイド部９を有している。そして、図５に示すように、このガイド部９に、遮蔽部材（例えばカーテンＳ）の保持部材であるカーテンレール８が取り付けられている。フレーム７とカーテンレール８は保持機構に含まれる。具体的には、カーテンレール８に設けられたＬ字状の突出片８ａにねじ１０を通し、そのねじ１０を、長孔９ａを貫通させてから図示しないナットに締め付けることによって、ねじ１０とナットとで突出片８ａとガイド部９とを強く挟みつけることにより、カーテンレール８をフレーム７に保持する。このような構成であるため、ねじ１０をナットから緩めて長孔９ａに沿って上下動させ、再びナットにねじ込むことによって、カーテンレール８の上下方向の位置を変えることができる。このように、本実施形態の保持機構は、遮蔽部材（カーテンＳ）の、開口部４およびフレーム７に対する相対的な上下方向の位置を任意に変えることができる。
【００１４】
また、図１に示す本発明の音響測定装置のマイクロフォン６を支持する支持部材１４は、レール１１に沿って上下動可能であるとともに、レール１３に沿って水平方向（隔壁部３ａに対向する位置から見て左右方向）の移動が可能なアーム状であり、図示しないねじを締め付けることによって、支持部材１４およびマイクロフォン６の上下方向ならびに左右方向の位置が固定される。図１には簡略化して示しているが、このような構成であるため、ねじを緩めて支持部材１４をレール１１，１３に沿って上下方向ならびに左右方向へ移動させ、再びねじを締めることによって、マイクロフォン６の上下方向ならびに左右方向の位置を変えることができる。このように、本実施形態の音響測定装置は、マイクロフォン６の、開口部４およびレール１１に対する相対的な上下方向ならびに左右方向の位置を任意に変えることができる。
【００１５】
このように、本実施形態では、音響測定装置のマイクロフォン６が、アーム状の支持部材１４により移動させられることで、上下方向ならびに左右方向の位置が異なる複数の測定点において選択的に音響測定可能である。また、保持部材であるカーテンレール８が長孔９ａに沿って上下方向に移動して、上下方向の位置が異なる複数の保持位置に選択的に遮蔽部材（カーテンＳ）を保持可能である。
【００１６】
この音響特性測定システムを用いて被測定物Ｓの音響特性（例えば遮音性）を測定する方法について説明する。まず、遮蔽部材であるカーテンＳを配置しない状態で、残響室１内のスピーカー５から発音し、半無響室２のマイクロフォン６を含む音響測定装置によって音量または音圧レベル等を測定する。この測定データは、後でカーテンＳの音響特性（例えば遮音性）を求めるために用いられる。
【００１７】
それから、カーテンＳの保持部材であるカーテンレール８の突出片８ａを通したねじ１０を、長孔９ａを貫通させた状態で、任意の上下方向位置に配置して図示しないナットに締め付ける。それにより、上下方向においてカーテンレール８を任意の位置に固定する。図６に示すように、このカーテンレール８に被測定物であるカーテン（遮蔽部材）Ｓを取り付ける。カーテンＳのカーテンレール８への取り付けは、カーテンレール８を固定する前であっても後であってもよい。こうして、上下方向において、カーテンＳを開口部４に対して任意の位置に配置する。具体的には、そのカーテンＳが実際に建築物や筐体の窓を覆うように取り付けられて使用される際にカーテンＳの上部が窓の上端から上方に突出する距離と、音響特性測定システムにおいてカーテンＳの上部が開口部４の上端から上方に突出する距離とができるだけ一致するようにする。同様に、カーテンＳが実際に建築物や筐体の窓を覆うように取り付けられて使用される際にカーテンＳの下部が窓の下端から下方に突出する距離と、音響特性測定システムにおいてカーテンＳの下部が開口部４の下端から下方に突出する距離とができるだけ一致するようにする。こうして開口部４に対するカーテンＳの位置を決定する。
【００１８】
それから、残響室１内のスピーカー５から発音し、開口部４に配置された被測定物Ｓを透過して半無響室２に伝わった音を、半無響室２のマイクロフォン６を含む音響測定装置によって測定する。この時、本実施形態では、マイクロフォン６の上下方向ならびに左右方向の位置を変えて複数の測定点で音響測定（音量または音圧レベル等の測定）を行う。具体的には、アーム状の支持部材１４をレール１１に沿って上下方向に移動させて、開口部４の下端付近であってカーテンＳの下部に対向する位置にマイクロフォン６を配置して、音響測定を行う。また、支持部材１４をレール１１に沿って上下方向に移動させて開口部４の中央付近であってカーテンＳの中央部に対向する位置にマイクロフォン６を配置して、音響測定を行う。さらに、支持部材１４をレール１１に沿って上下方向に移動させて開口部４の上端付近であってカーテンＳの上部よりも上方の位置にマイクロフォン６を配置する。すなわち、マイクロフォン６をカーテンレール８に対向する位置またはその近傍に配置して、音響測定を行う。また、例えばマイクロフォン６が開口部４の中央付近であってカーテンＳの中央部に対向する位置から、支持部材１４をレール１３に沿って水平方向（左右方向）に移動させて、カーテンＳの左端部よりも左方の位置にマイクロフォン６を配置して、音響測定を行う。さらに、支持部材１４をレール１３に沿って水平方向（左右方向）に移動させて、カーテンＳの右端部よりも右方の位置にマイクロフォン６を配置して、音響測定を行う。このように、本実施形態では、残響室１内のスピーカー５の位置は変えることなく、マイクロフォン６を上下方向ならびに左右方向において少なくとも５個所に配置して、少なくとも５つの測定点で音響測定をそれぞれ行う。こうして各測定点において測定された各データから、予めカーテンＳが配置されていない状態で測定されたデータをそれぞれ差し引くことにより、カーテンＳの音響特性（例えば遮音性）を求めることができ、言い換えると防音効果が求められる。
【００１９】
この音響特性測定システムおよび音響特性測定方法の技術的意義について説明する。マイクロフォン６を開口部４の中央付近であってカーテンＳの中央部に対向する位置に配置して音響測定を行うことは、従来の音響測定において一般的に行われていたのと同様な測定工程である。本実施形態では、この従来同様の測定工程に加えて、マイクロフォン６を開口部４の下端よりも下方であってカーテンＳの下部に対向する位置に配置して音響測定を行う。すなわち、カーテンＳの下端を回り込んでカーテンＳの外側に音が伝わるか否かを測定することができる。特に、カーテンレール８の上下方向の位置を調節することにより、カーテンＳの実際の設置時にカーテンＳの下部が窓の下端から下方に突出する距離と同じ距離だけカーテンＳの下部が開口部４の下端よりも下方に突出する状態で音響測定を行う。このように、従来は測定されていなかったカーテンＳの下端からの音の回り込みを、本実施形態では数値データとして定量的に求めることができる。しかも、上下方向において開口部４の下端とカーテンＳの下端との位置関係が、実際に設置される環境とできるだけ一致しているので、実際の使用時に類似した音響特性が得られる。
【００２０】
それに加えて、本実施形態では、マイクロフォン６を、開口部４の上端よりも上方であってカーテンＳの上部よりも上方の位置、すなわちカーテンレール８に対向する位置またはその近傍に配置して、音響測定を行う。これにより、カーテンＳの上端からの音の回り込みと、カーテンＳとカーテンレール８やフレーム７との間およびカーテンレール８自体の隙間を通過した音とを測定することができる。
また、本実施形態では、マイクロフォン６を左右方向にも移動して、カーテンＳの左端部よりも左方の位置と、カーテンＳの右端部よりも右方の位置にも配置して、それぞれ音響測定を行う。これにより、カーテンＳの左端部や右端部からの音の回り込みについても、前述したカーテンＳの上端部や下端部からの音の回り込みと同様に測定および分析が可能である。
【００２１】
従来は、主にカーテンＳの中央かつ開口部４の中央付近の１つの測定点においてのみ音響を測定していたため、カーテンＳの材質そのものに依る音響特性（例えば遮音性）を知ることができた。しかし、実際のカーテンＳの設置形態に起因する音漏れ、特にカーテンＳとその保持部材であるカーテンレール８やフレーム７との間の隙間を通過する音を測定することはなかった。従って、カーテンＳの実際の設置時の音漏れが、予測されていた程度と大きく異なる場合があった。それに対し、本実施形態によると、カーテンＳの中央かつ開口部４の中央付近の音響の測定によりカーテンＳの材質そのものに依る音響特性を知ることに加えて、カーテンの下端や上端や左端部や右端部からの音の回り込みや、カーテンＳとその保持部材であるカーテンレール８やフレーム７との間の隙間を通過する音も測定するため、カーテンＳの実際の使用時に類似した状態での音響特性を求めることができる。従って、従来よりも細かくかつ高精度にカーテンＳの音響特性を求めることができ、カーテンの材質を用途に応じて適切に選択できるとともに、その設置形態、すなわち保持部材であるカーテンレール８の選択や、上下方向や左右方向の設置位置の選択等も、必要とされる音響特性に応じて適切に実施して決定することができる。しかも、試験者の聴覚に依存するのではなく音量や音圧レベル等の数値データが得られるため、共通の基準に基づく定量的な音響特性（例えば遮音性）が求められる。従って、多数の様々な遮蔽部材およびその設置形態を、データ上で容易に対比することができる。なお、本実施形態では、カーテンレール８の突出片８ａを通したねじ１０を緩めて外すことによって、カーテンレール８を取り外して、他のカーテンレール８に容易に交換することができる。従って、特に上方の測定点における測定結果に応じて、より適切な材質や形状のカーテンレール８を選択することが容易にできる。このように、音響特性測定システムにおいて容易にカーテンレール８（保持部材）を交換可能であって、カーテンＳのみならずその保持部材であるカーテンレール８も含めた音響特性（例えば遮音性）を求めて、より適切な遮音機構の選択に寄与することは、特許文献１〜３では実現不可能であり、本発明において実現可能になったことである。
【００２２】
なお、図１に示す構成では、隔壁部３の半無響室２側の面にフレーム７およびカーテンレール８が取り付けられて、カーテンＳは半無響室２内に配置されて測定が行われる。これに対し、図示しないが、隔壁部３の残響室１側の面にフレーム７およびカーテンレール８が取り付けられて、カーテンＳは残響室１内に配置されて測定が行われる変形例も実施可能である。この変形例においても、マイクロフォン６は半無響室２内に配置されているため、図１に示す音響特性測定システムと同様に、開口部４に配置されたカーテンＳを透過して残響室１から半無響室２に伝わった音を測定することができ、カーテンＳの音響特性（例えば遮音性）を測定することができる。
【００２３】
本発明の音響特性測定システムのより具体的な実施例について説明する。図１に示す残響室１は、床面が２．４ｍ×２．４ｍの正方形であり、隔壁部３の高さは２．２ｍ、隔壁部３と反対側の壁部の高さは２．１ｍである。残響室１の内壁面はすべて鉄板からなる。半無響室２は、床面が２．１ｍ×２．４ｍの四角形であり、隔壁部３と反対側の壁部の高さは２．０ｍである。半無響室２の床面とフレーム７の取付部を除く内壁面にはグラスウールからなるくさび状の突起１５が隙間無く形成されている（図２参照）。隔壁部３に設けられた開口部４は２００ｍｍ×２００ｍｍの寸法を有している。フレーム７には、遮蔽部材Ｓを実際に配置する建築物や筐体の窓に設けられている窓ガラスと同様なガラス板（図示せず）が嵌め込まれている。残響室１内には、隔壁部３の近傍とその反対側の壁部の近傍において、床面にそれぞれスピーカー５が置かれている。一方、半無響室２内には開口部４に向けてマイクロフォン６が配置されている。スピーカー５は図示しない音源に接続されて発音可能である。マイクロフォン６は図示しない分析装置に接続されており、分析装置はマイクロフォン６によって収録された音を分析する。
【００２４】
このような音響特性測定システムを用いて、まず、遮蔽部材Ｓを配置しない状態で残響室１内のスピーカー５から発音し、半無響室２のマイクロフォン６によって収録した音の音圧レベルＳＰＬ０を求める。
【００２５】
次に、開口部４を覆うように被測定物である遮蔽部材（例えばカーテンＳ）を配置する。具体的には、前述したように、カーテンレール８の突出片８ａを通したねじ１０を、長孔９ａを貫通させた状態で、任意の上下方向位置に配置して図示しないナットに締め付ける。こうして上下方向においてカーテンレール８を任意の位置に固定するとともに、カーテンレール８に被測定物であるカーテン（遮蔽部材）Ｓを取り付ける。そこで、残響室１内のスピーカー５から発音し、開口部４に配置された被測定物Ｓを透過して半無響室２に伝わった音を、半無響室２のマイクロフォン６で受音する。この時にマイクロフォン６で受音した音圧レベルＳＰＬ１を測定し、分析装置が遮音量を以下の式から挿入損失として算出する。
挿入損失［ｄＢ］＝ＳＰＬ０［ｄＢ］−ＳＰＬ１［ｄＢ］
【００２６】
このようにして遮音量を求めることを、複数の測定点においてそれぞれ行う。具体的には、図７に示す例では、１１の測定点において、遮蔽部材Ｓを配置しない状態での音圧レベルと、異なる材料からなる２つのカーテンＳ（第１のカーテンと第２のカーテン）を設置した時の音圧レベルとをそれぞれ求めている。第１のカーテンは、面密度（単位面積当たりの重量）が０．１７ｋｇ／ｍ２のレースカーテンであって、第２のカーテンは、面密度が０．３５ｋｇ／ｍ２のドレープカーテンである。図７（Ａ）には、１１の測定点を、カーテンＳの下端を基準（０ｍｍ）としてこの下端から上方の距離によって示している。従って、上下方向において、−２０ｍｍはカーテンＳの下端および開口部４の下端よりも下方の位置、０ｍｍと５０ｍｍと１００ｍｍはカーテンＳの下部に対向し開口部４の下端よりも下方の位置、３２０ｍｍと３３５ｍｍと３５０ｍｍはカーテンＳの中央部および開口部４の中央部に対向する位置、４３０ｍｍはカーテンＳの上部に対向し開口部４の上端よりも上方の位置、５０５ｍｍと５２０ｍｍと５３５ｍｍはカーテンＳの上端および開口部４の上端よりも上方の位置である。このようにして、図７（Ｂ）に示すように、１１の測定点のそれぞれにおいて第１のカーテンを設置した場合と第２のカーテンを設置した場合の音圧レベルの遮音量をそれぞれ求めている。それらの音圧レベルと、カーテンを設置していない時の音圧レベルとの差から第１のカーテンと第２のカーテンの遮音量が求められる。その結果、第１のカーテンの遮音量は２．５〜８ｄＢ程度であり、第２のカーテンの遮音量は３〜１１ｄＢ程度である。このように面密度が大きい第２のカーテンの方が、面密度が小さい第１のカーテンよりも遮音性が高いことが判った。そして、第１のカーテンの遮音性と第２のカーテンの遮音性の差は、カーテンＳおよび開口部４の中央付近において大きい。しかし、カーテンＳの上部および下部や、カーテンＳの上端よりも上方および下端よりも下方においては、第１のカーテンの遮音性と第２のカーテンの遮音性の差は小さい。従って、カーテンＳおよび開口部４の中央付近における遮音性はさほど重要でないか、あるいは他の遮音機構が併用されるような場合であって、カーテンＳの上部や下部における音漏れの防止が重要な場合には、面密度が低い第１のカーテンで十分な場合もある。
【００２７】
また、２つの測定点、具体的にはカーテンＳおよび開口部４の中央（３５０ｍｍ）と、カーテンＳの上端および開口部４の上端よりも上方（５２０ｍｍ）において、様々な周波数の音に対する遮音性を求めて図８に示している。これによると、カーテンＳの上端および開口部４の上端よりも上方（５２０ｍｍ）においては、広範囲の周波数の音に対して全体的に遮音性が低い。そして、第１のカーテンの遮音性（カーテン未設置時との音圧レベルの差）は平均５．６ｄＢであって、第２のカーテンの遮音性は平均６．３ｄＢであり、両者の違いは小さい。一方、カーテンＳおよび開口部４の中央（３５０ｍｍ）においては、特に高い周波数の音に対する遮音性が優れており、第１のカーテンの遮音性は平均１８．６ｄＢであって、第２のカーテンの遮音性は平均２１．４ｄＢであり、両者の差は比較的大きい。また、本実施形態によると、カーテンＳを設置することによる音圧レベルの差（遮音性）の平均増加量（カーテンＳの上端からの音漏れの改善量）を定量的に評価することができる。すなわち、第１のカーテンを設置した場合には、カーテンＳの上端付近からの音漏れ防止効果が、１８．６−５．６＝１３．０ｄＢであると言える。一方、第２のカーテンを設置した場合には、カーテンＳの上端付近からの音漏れ防止効果が、２１．４−６．３＝１５．１ｄＢであると言える。このように、面密度が大きい第２のカーテンの方が、面密度が小さい第１のカーテンよりも、カーテンＳの上端からの音漏れに有効である。
【００２８】
このようにして、本発明によると被測定物の音響特性（例えば遮音性）の適切な測定が行える。上下方向の位置が異なる複数の測定点で音響測定可能であるため、被測定物の上端や下端からの音の回り込みを数値データとして定量的に求めることができる。そのため、被測定物の材質のみならずその設置形態が音響特性に及ぼす影響についても知ることができ、用途に応じた適切な設置の実現に寄与する。さらに、被測定物の保持部材を上下動させることができるため、実際の使用時に即した被測定物の設置形態において音響特性を求めることができる。また、保持部材を容易に交換することができるため、被測定物のみならずその保持部材についても用途に応じて適切な材質や形状の物を選択することが容易にできる。
図７，８には、被測定物（カーテンＳ）の上下方向の位置が異なる複数の測定点で音響測定および分析を行った結果を示しているが、被測定物の左右方向の位置が異なる複数の測定点でも音響測定および分析を行うことがより好ましい。本発明は、上下方向の位置が異なる複数の測定点において選択的に音響測定および分析を行い得る構成と、左右方向の位置が異なる複数の測定点において選択的に音響測定および分析を行い得る構成と、上下方向の位置が異なる複数の測定点と左右方向の位置が異なる複数の測定点とにおいて選択的に音響測定および分析を行い得る構成のいずれも含むものである。それぞれの構成に応じて、音響測定装置は、受音部を適宜に移動可能な構成を有している。
【００２９】
なお、本発明により、遮音性に限られず、各周波数に応じた音の伝達の傾向など、様々な音響特性を求めることができる。音響測定の詳細な実験条件等については、公知の方法、例えば日本工業規格（JIS A1416, A1428, A1441）に示されている方法を応用することができる。
【符号の説明】
【００３０】
１      残響室
２      半無響室
３      隔壁部
４      開口部
５      スピーカー（発音装置）
６      マイクロフォン（音響測定装置、受音部）
７      フレーム
８      カーテンレール（保持部材）
８ａ    突出片
９      ガイド部
９ａ    長孔
１０    ねじ
１１    レール
１３    レール
１４    支持部材
１５    突起
Ｓ      被測定物（遮蔽部材、カーテン）
【図１】
2019109430.tif 000003
【図２】
2019109430.tif 000004
【図３】
2019109430.tif 000005
【図４】
2019109430.tif 000006
【図５】
2019109430.tif 000007
【図６】
2019109430.tif 000008
【図７】
2019109430.tif 000009
【図８】
2019109430.tif 000010